(57)【要約】【課題】  机天板の後縁に沿ってフロントパネルを取付けている机において、フロントパネルの両側端縁を支持する支柱を利用して机天板の上面の側縁に沿ってサイドパネルを立設することができ、左右フロントパネルの境界線にサイドパネルを簡単に立設することができる机上パネル装置を提供する。【解決手段】  机天板の後縁に沿って立設するフロントパネル４の両側端縁を支持する支柱３は、上下全長にわたって、左右一端側にフロントパネル４の側端縁を嵌合する第１係合溝９を形成し、左右他端側の中央部に突出部１０を形成し、前後両端側にサイドパネル５を後端縁を嵌合し得る第２係合溝１１を形成したものであり、左右のサイドパネルをそれぞれ支持する両支柱の突出部を向き合わせた状態で形成される両支柱間の縦溝２２にサイドパネルの後端縁を嵌合して立起状態に保持してなる。【選択図】        図５
2006020981.tif 000002
【特許請求の範囲】
【請求項１】
机の天板の後縁に沿って立設するフロントパネルの両側端縁を、該天板の後部に垂設した支柱で支持するとともに、前記フロントパネルの端部側あるいは左右に連続して配置した両フロントパネル間の中間部にサイドパネルを立設してなる机上パネル装置であって、前記支柱は、上下全長にわたって、左右一端側に前記フロントパネルの側端縁を嵌合する第１係合溝を形成するとともに、左右他端側の中央部に突出部を形成し、更に前後両端側に前記サイドパネルを後端縁を嵌合し得る第２係合溝を形成したものであり、左右のサイドパネルをそれぞれ支持する両支柱の突出部を向き合わせた状態で形成される両支柱間の縦溝に前記サイドパネルの後端縁を嵌合して立起状態に保持してなることを特徴とする机上パネル装置。
【請求項２】
前記支柱の突出部内に連結溝を形成し、両支柱の連結溝に断面略Ｈ字形の連結部材の両係合部を上下方向から同時に係合して両支柱を連結してなる請求項１記載の机上パネル装置。
【請求項３】
前記支柱の突出部は、内部に前記連結溝を形成すべく、支柱の端面中心から離れた位置から一対の傾斜片を突出接近する方向に形成したものである請求項２記載の机上パネル装置。
【請求項４】
前記支柱の上端にキャップを嵌着し、前記支柱の第１係合溝に嵌合した前記フロントパネルの上縁端部に形成した凹部及び前記第２係合溝に嵌合した前記サイドパネルの上縁端部に形成した凹部にそれぞれ上方から係合する係合爪を前記キャップの下面に突設してなる請求項１〜３何れかに記載の机上パネル装置。
【発明の詳細な説明】
【技術分野】
【０００１】
本発明は、机上パネル装置に係わり、更に詳しくは机天板の上方に立設して左右の空間を仕切るための机上パネル装置に関するものである。
【背景技術】
【０００２】
従来から、机の天板の上位であって、背面側にフロントパネルを立設し、側面側にサイドパネルを立設することは公知である。また、机を背面合せに設置するとともに、側方へ複数設置する島置き態様の机、あるいは左右に長尺の天板を個人用のスペースに仕切って使用する机において、前後の机天板の境界部にフロントパネルを立設して共通の目隠しパネルとして利用するとともに、机天板の側端部及び左右天板の境界部あるいは長尺の天板の中間部にサイドパネルを立設すること、この際にフロントパネルと連結することも公知である。
【０００３】
特許文献１には、机上パネルを立設する構造として、机の天板の上面に立設されるフロントパネルとサイドパネルの端部にそれぞれ縁材を取付けるとともに、前記縁材におけるパネルの長手方向端面と、さらにパネルの長手方向左右両側に係合溝を上下方向に形成するとともに、前記対向する係合溝間に、断面が前記係合溝とほぼ一致し、かつ長さ方向に均一な係合片同士を、それぞれ反対向きに連結した連結部材を、これら係合片が前記係合溝に各々係合されるように上方から挿入することにより、隣接する前記サイドパネルとフロントパネルとを連結する構造が開示されている。ここで、前記連結部材は、係合片を一方向に２つ、反対方向に２つ有している。そのため、端部にサイドパネルを取付ける際には、フロントパネルの側端の縁材端面とサイドパネルの外側面を略面一にすることができるとともに、左右に配置した机の天板の境界部にサイドパネルを取付ける際には、境界線にサイドパネルの中心線を一致させることができるのである。また、前記連結部材は左右のフロントパネルの縁材同士を連結するためにも利用できる。
【０００４】
しかし、前述の特許文献１に記載のものは、フロントパネルの両側端とサイドパネルの後端に同一断面形状の縁材を装着し、しかも連結部材を必須とする構成であるので、部品点数が多く、しかも縁材や連結部材が複雑であるのでコスト高であるとともに、左右フロントパネルの境界線あるいは机天板の境界線にサイドパネルの中心線を一致させて取付けることができる点は、パネル厚が厚いことによって成立しているものであり、更にフロントパネルを下端縁材に突設した取付片の突部を天板の穴部に嵌入して立設するので、天板上が狭くなるといった欠点も有している。
【特許文献１】特許第３４７７０６０号公報
【発明の開示】
【発明が解決しようとする課題】
【０００５】
そこで、本発明が前述の状況に鑑み、解決しようとするところは、机天板の後縁に沿ってフロントパネルを取付けている机において、フロントパネルの両側端縁を支持する支柱を利用して机天板の上面の側縁に沿ってサイドパネルを立設することができるとともに、左右フロントパネルの境界線あるいは左右に配置した机天板の天板境界線に沿ってサイドパネルを簡単に立設することができる机上パネル装置を提供する点にある。
【課題を解決するための手段】
【０００６】
本発明は、前述の課題解決のために、机の天板の後縁に沿って立設するフロントパネルの両側端縁を、該天板の後部に垂設した支柱で支持するとともに、前記フロントパネルの端部側あるいは左右に連続して配置した両フロントパネル間の中間部にサイドパネルを立設してなる机上パネル装置であって、前記支柱は、上下全長にわたって、左右一端側に前記フロントパネルの側端縁を嵌合する第１係合溝を形成するとともに、左右他端側の中央部に突出部を形成し、更に前後両端側に前記サイドパネルを後端縁を嵌合し得る第２係合溝を形成したものであり、左右のサイドパネルをそれぞれ支持する両支柱の突出部を向き合わせた状態で形成される両支柱間の縦溝に前記サイドパネルの後端縁を嵌合して立起状態に保持してなる机上パネル装置を構成した（請求項１）。
【０００７】
ここで、前記支柱の突出部内に連結溝を形成し、両支柱の連結溝に断面略Ｈ字形の連結部材の両係合部を上下方向から同時に係合して両支柱を連結してなることが好ましい（請求項２）。
【０００８】
また、前記支柱の突出部は、内部に前記連結溝を形成すべく、支柱の端面中心から離れた位置から一対の傾斜片を突出接近する方向に形成したものであるとより好ましい（請求項３）。
【０００９】
そして、前記支柱の上端にキャップを嵌着し、前記支柱の第１係合溝に嵌合した前記フロントパネルの上縁端部に形成した凹部及び前記第２係合溝に嵌合した前記サイドパネルの上縁端部に形成した凹部にそれぞれ上方から係合する係合爪を前記キャップの下面に突設してなることも好ましい（請求項４）。
【発明の効果】
【００１０】
以上にしてなる請求項１に係る発明の机上パネル装置は、フロントパネルの両側端縁を第１係合溝に嵌合して立起状態に支持する支柱を利用し、左右端部に位置するフロントパネルの端部側において天板上にサイドパネルを立起状態に支持するには、端部側の支柱の第２係合溝にサイドパネルを後端縁を嵌合し、また左右の連続して配置した両フロントパネル間の中間部にサイドパネルを立起状態に支持するには、左右のフロントパネルの側端縁をそれぞれ支持する両支柱の間に形成される縦溝にサイドパネルの後端縁を嵌合するとともに、該サイドパネルの後端縁を両支柱の前記突出部に当止するので、サイトパネルの装着作業が容易であるとともに、両フロントパネル間の中間部にサイドパネルを立設するのに特別な部材を必要としないのである。ここで、前後に天板を有する机で、前後天板間にフロントパネルを立設し、その連設部の中間部の前後にサイドパネルをそれぞれ立設すると、前記支柱は両サイドパネルで支持されるので前後に揺らいで傾く恐れが全くないのである。
【００１１】
請求項２によれば、左右のフロントパネル間に位置する両支柱の突出部内に形成した連結溝に断面略Ｈ字形の連結部材の両係合部を上下方向から同時に係合して支柱同士を強固に連結することができ、支柱が左右方向に揺れ傾いて支柱の第１係合溝からフロントパネルの側端縁が抜ける恐れがなく、また支柱間に形成された縦溝内にサイドパネルの後端縁を確実に嵌合した状態を維持することができるのである。
【００１２】
請求項３によれば、支柱の突出部が一対の傾斜片で外形が形成されるので、指が触れても傷付く恐れがなく、また左右端部に位置するフロントパネルの端部側に位置する支柱の突出部は、机の側面側に露出するが、外観的にも全く問題がないのである。
【００１３】
請求項４によれば、支柱の第１係合溝にフロントパネルの側端縁を嵌合し、第２係合縁にサイドパネルの後端縁を嵌合した状態で、該支柱の上端にキャップを上方から嵌着すると、その下面に突設した係合爪が、フロントパネルの上縁端部に形成した凹部とサイドパネルの上縁端部に形成した凹部にそれぞれ係合するので、フロントパネルとサイドパネルが支柱から外れる恐れが全くないのである。
【発明を実施するための最良の形態】
【００１４】
次に、添付図面に示した実施形態に基づき、本発明を更に詳細に説明する。図１は、本発明に係る机上パネル装置を適用した机の全体斜視図、図２及び図３は端部の支持構造を示し、図４及び図５は中間部の支持構造を示し、図６は支持状態の縦断面図を示し、図中１は天板、２は脚部、３は支柱、４はフロントパネル、５はサイドパネル、６はキャップ、７は支持具をそれぞれ示している。
【００１５】
本実施形態の机は、両端部に門型の脚部２，２を配し、両脚部２，２と中間部に設けた脚部２とで前後に所定の間隔を設けて長尺の天板１，１を支持し、両天板１，１の間に配線ダクト８を設け、前後の天板１，１の中間位置に所定間隔で前記支柱３，…を立設し、一対の支柱３，３で前記フロントパネル４の両側端縁を支持して立設するともに、端部に位置する支柱３を使用して端部側のサイドパネル５の後端縁を支持して立起し、また中間部では左右のフロントパネル４，４を支持する一対の接近した支柱３，３を使用してサイドパネル５の後端縁を支持して立起し、更に前記サイドパネル５，…の前端部は支持具７によってそれぞれ天板１の前端部に支持するのである。
【００１６】
前記支柱３は、図３に示すように、アルミニウム製の押出し型材から形成され、上下全長にわたって、左右一端側に前記フロントパネル４の側端縁を嵌合する第１係合溝９を形成するとともに、左右他端側の中央部に突出部１０を形成し、更に前後両端側に前記サイドパネル５を後端縁を嵌合し得る第２係合溝１１，１１を形成したものである。更に、前記支柱３の突出部１０内に連結溝１２を形成し、図４及び図５に示すように、両支柱３，３の連結溝１２，１２に断面略Ｈ字形の連結部材１３の両係合部１４，１４を上下方向から同時に係合して両支柱３，３を連結できるようにしている。更に詳しくは、前記支柱３の突出部１０は、内部に前記連結溝１２を形成すべく、支柱３の端面１５中心から離れた位置から一対の傾斜片１６，１６を突出接近する方向に形成したものである。
【００１７】
前記フロントパネル４及びサイドパネル５は、半透明状のアクリル樹脂等の合成樹脂板からなり、フロントパネル４は長方形であり、サイドパネル５は、後端縁が垂直縁で前方下方へ緩やかに湾曲した形状を有している。そして、前記フロントパネル４は、その上縁両端部に凹部１７，１７を形成している。また、前記サイドパネル５は、その上縁後端部に凹部１８を形成するとともに、前記配線ダクト８に相当する部分は円弧状の切欠部１９を形成し、また下縁前端部には前記支持具７を用いて支持するための通孔２０，２０を前後に所定間隔をおいて形成している。
【００１８】
前記キャップ６は、合成樹脂製であり、前記支柱３の上端に嵌着できる形状となっており、また該キャップ６を支柱３の上端に嵌着した際に、前記フロントパネル４の凹部１７と前記サイドパネル５の凹部１８にそれぞれ上方から係合する係合爪２１，２１を突設している。従って、前記フロントパネル４の側端縁を前記支柱３の第１係合溝９に嵌合し、前記サイドパネル５の後端縁を前記支柱３の第２係合溝１１に嵌合するとともに、該支柱３の上端に前記キャップ６を嵌着すると、係合爪２１，２１がそれぞれ凹部１７，１８に係合して、該支柱３からフロントパネル４及びサイドパネル５が抜けて外れることがなくなる。
【００１９】
そして、前記フロントパネル４は、その両側端縁を支柱３，３の第１係合溝９，９に嵌合して立起状態に支持し、左右に複数立設するにはこの構成を単位とし、左右のフロントパネル４，４の隣接する支柱３，３同士を、その両連結溝１２，１２に上方から連結部材１３の両係合部１４，１４を係合して強固に連結するのである。また、図２及び図３に示すように、左右端部に位置するフロントパネル４の端部側において天板１上にサイドパネル５を立起状態に支持するには、端部側の支柱３の第２係合溝１１にサイドパネル５を後端縁を嵌合し、該支柱３の上端にキャップ６を嵌着し、またサイドパネル５の前端部は支持具７によって前記天板１の前端部に支持するのである。一方、左右の連続して配置した両フロントパネル４，４間の中間部にサイドパネル５を立起状態に支持するには、図４及び図５に示すように、左右のフロントパネル４，４の側端縁をそれぞれ支持する両支柱３，３の間に形成される縦溝２２にサイドパネル５の後端縁を嵌合するとともに、該サイドパネル５の後端縁を両支柱３，３の前記突出部１０，１０に当止する。つまり、左右のフロントパネル４，４をそれぞれ支持する両支柱３，３の突出部１０，１０を向き合わせた状態で、両支柱３，３間に縦溝２２が形成され、この縦溝２２に前記サイドパネル５の後端縁を嵌合して立起状態に保持するのである。尚、中間部のサイドパネル５の前端部も前記同様に前記支持具７にて天板１の前端部に支持するのである。
【００２０】
次に、図２、図４、図６及び図７に示すように、前記支柱３を天板１の後部に垂設する構造及び配線ダクト８の構造を説明する。前記配線ダクト８は、前後に背面合せに配した天板１，１の後端間に配線ダクト用開口部２３を形成し、該開口部２３内で左右に間隔を隔てて一対の受け具２４，２４を両天板１，１間に渡設して取付けるとともに、両受け具２４で前記開口部２３を覆う配線カバー２５の両端部を支持して構成している。更に、前記受け具２４には上面が天板１の上面と略面一で前記天板１の後端縁と直交する方向の第１受け部２６と、該第１受け部２６の内側に段落ちして形成した第２受け部２７を備え、前記配線カバー２５の端部を前記第２受け部２６に載支した状態で該配線カバー２５の上面が前記天板１の上面と略面一になるようにしている。
【００２１】
更に具体的には、前記受け具２４の第２受け部２６に合成樹脂製の係合部２８を設け、該係合部２８に前記配線カバー２５の端部をしている。また、前記受け具２４の第１受け部２６に係合穴２９を設け、該係合穴２９に前記支柱３の下端に突設した軸部３０を嵌入して垂設している。ここで、前記係合穴２９は内部が筒状になっており、前記支柱３の軸部３０に外嵌したＯリング等の弾性パッキン３１によってガタつきのない嵌合状態を実現している。
【００２２】
また、前記配線カバー２５は、中央部の支持部材３２と、該支持部材３２の前後両側縁に上下回動可能に連結した第１カバー体３３と、該第１カバー体３３の遊端縁に止着し前記天板１の後端との隙間を埋める第２カバー体３４とから構成され、前記支持部材３２の両端部を前記受け具２４の第２受け部２６に突設した前記係合部２８にそれぞれ嵌合して支持している。
【００２３】
そして、本実施形態では、前記フロントパネル４の下端縁に嵌着した補強枠３５の下端を、前記配線カバー２５の支持部材３２の上面中央に沿って形成した凹溝３６に嵌合してあり、該フロントパネル４の板厚が薄い合成樹脂板で長尺であっても前後の撓みを防止することができる。
【００２４】
また、前記支持具７を、図２、図８〜図１０に基づいて説明する。前記支持具７は、前記天板１の前端部に締着するクランプ部３７と、該クランプ部３７によって天板１の上面に立起された一対の支持板３８，３８と、該支持板３８，３８のそれぞれ装着するカバー３９，３９とから構成されている。前記サイドパネル５の前端部は、前記支持板３８，３８の間に挟み込み、前記通孔２０を利用して両支持板３８，３８の取付孔４０，４０にボルト４１を貫通させナット４２で螺合し、そして前記支持板３８の両端部に段折り状に形成した係止片４３，４３に合成樹脂製の前記カバー３９の両端部を上方からスライド係合させて取付けるのである。尚、前記サイドパネル５の前端部には二つの通孔２０，２０を形成したが、これはフロントパネル４として板厚の厚いパネルを使用したり、それに応じて支柱の形状も変更した場合、サイドパネル５を立起する位置が前後にずれるため、その場合にも共通して使用できるようにするためである。
【００２５】
また、図１１及び図１２には、前記支柱３の他の実施形態を示している。これらは、何れも連結溝１２を設けないものであり、前記突出部１０の形状のみが前述の実施形態と異なるものである。つまり、図１１に示した支柱３の突出部１０は、断面コ字形の突台を突設して形成したものである。また、図１２に示した支柱３の突出部１０は、平行な二条のリブを突設して形成したものである。そして、一対の支柱３，３を隣接して垂設した場合、突出部１０，１０同士が接触、若しくは若干隙間が開いた状態で、前記支柱３の端面１５と突出部１０とで、明確な縦溝２２を形成し、前記サイドパネル５の後端縁を確実に当止できるようにしたものである。
【００２６】
次に、更に前記配線カバー２５とフロントパネル４との関係を図１３〜図１６に基づいて詳細に説明する。
【００２７】
前後方向に対向配置された天板１，１の後端縁１ｃ，１ｃには配線ダクト用開口部２３が形成されており、この開口部２３には、左右に間隔を隔てた一対の受け具２４，２１及び配線カバー２５が配設されている。受け具２４は、パーツの例として示したフロントパネル４を支持すると共に、配線カバー２５も支持することができるものである。また、配線カバー２５は、机の天板１の後部下側に配設される後述する配線ダクトの上側を覆うものであり、天板１の左右方向の略全長にわたって設けられている。
【００２８】
図１４及び図１５は、受け具２４及び配線カバー２５の構成を示す説明図であり、図１４は側断面図、図１５は配線カバーの開閉動作を示す側断面図である。なお、図１５（ａ）はカバー体を閉じた状態を、図１５（ｂ）はカバー体を開いた状態を示している。
【００２９】
受け具２４は、机の天板１の反使用側である後端部に取付けられるものであり、天板１の上面１ａと略面一の上面２６ａが形成された第１受け部２６と、天板１の上面１ａよりも下がった、第１受け部２６から天板１の後端縁１ｃに沿う方向にずらした位置に、天板１の上面１ａと略平行な上面２７ａが形成された第２受け部２７とが設けられている。なお、図１３に示すように、天板１の左右端の受け具２４は、第２受け部２７側と反対側の側面２６ｂが天板１の側面１ｂと略面一となるように配置される。このように、受け具２４の第１受け部２６の上面２６ａが天板１の上面１ａと略面一であると共に、天板１の左右端の受け具の前記側面２６ｂが天板１の側面１ｂと略面一であるため、フロントパネル４等のパーツの有無にかかわらず、図１３のように外観がすっきりとした印象を保っており、意匠性を損なうことがない。
【００３０】
第１受け部２６にはフロントパネル４の下部に設けられた軸部３０と係合する係合穴２９が設けられており、第２受け部２７には配線カバー２５の支持部材３２と係合する係合部２８が設けられている。ここで、受け具２４の係合部２８は例えばポリアセタール、ポリプロピレン、ポリエチレンテレフタレート又はＡＢＳ等の樹脂の射出成形により製作され、他の部分は例えば鋼材による板金加工等により製作される。なお、係合部２８は、例えばねじにより第２受け部２７に着脱可能に固定される。
【００３１】
配線カバー２５は、机の天板１の反使用側である後端縁１ｃに沿って設けられるものであり、受け具２４の第２受け部２７の係合部２８に係合する支持部材３２、該支持部材３２の支持部３６（図１５参照。）に係合して、該支持部材３２により天板１の後端縁１ｃと略平行な水平軸Ｏまわりに回動可能に支持される第１カバー体３３、該第１カバー体３３に連結される第２カバー体３４、第１カバー体３３の天板１の後端縁１ｃ方向の両側端（第１カバー体３３の左右端）に装着されるサイドキャップ３５，３５により構成される。
【００３２】
ここで、支持部材３２及び第１カバー体３３は、例えばアルミニウム合金による押出し加工等により製作される。なお、第１カバー体３３は、硬質の合成樹脂等により製作してもよいが、配線カバーの開閉動作の長期にわたる信頼性及び第１カバー体３３の長尺形状を考慮すると、アルミニウム合金による押出し加工等により製作するのが好ましい。また、第２カバー体３４は合成ゴム又はエラストマー等の軟質材により形成され、サイドキャップ３５はポリアセタール、ポリプロピレン、ポリエチレンテレフタレート又はＡＢＳ等の合成樹脂により形成される。サイドキャップ３５は金属製とすることもできるが、後述するカバー体の位置を保持する保持手段としての機能を考慮すると、弾性変形しやすい合成樹脂製とするのが好ましい。
【００３３】
配線カバー２５の支持部材３２は、その上面３２ａが天板１の上面１ａと略面一に形成されていると共に、天板１の後端縁１ｃと所定距離を隔てた位置に、該後端縁１ｃと略平行に設けられている。また、カバー体（第１カバー体３３及び第２カバー体３４）を閉じた状態では、カバー体の上面（第１カバー体３３の上面３３ａ及び第２カバー体３４の上面３４ａ）が天板１の上面１ａと略面一に水平となる。このような構成により、フロントパネル４等のパーツの有無にかかわらず、図１３のように外観がすっきりとした印象を保っており、意匠性を損なうことがない。
【００３４】
支持部材３２は、受け具２４の係合部２８により支持される構成に限定されるものではなく、支持部材３２を、天板１の後端縁１ｃと所定距離を隔てた位置に、該後端縁１ｃと略平行に位置させるように支持されるものであればよい。例えば、配線カバーの支持部材自体を天板１の後端部に固定する構成であってもよい。
【００３５】
図７、図１４及び図１５に示すように、支持部材３２の下部には、左右方向に延びる前後の係合板３２ｂ，３２ｂが設けられており、該係合板３２ｂが第２受け部２７の係合部２８の挟持片２８ａ，２８ｂ間の隙間２８ｃに係合して確実に支持される。該係合部２８は、その上面が天板１の上面１ａよりも低く形成されており、天板１の上面１ａから露出しないと共に、配線カバー２５を付けた状態で該配線カバー２５の上面（支持部材３２の上面３２ａ、第１カバー体３３の上面３３ａ及び第２カバー体３４の上面３４ａ）が天板１の上面１ａと略面一に形成されるため、意匠性を向上することができる。また、図１５に示すように、支持部材３２の前後には支持部３６，３６が設けられており、該支持部３６には、天板１の後端縁１ｃと略平行な水平軸Ｏを中心とする内側及び外側の円弧状側面３７及び３８が形成されており、該円弧状側面３８には凹部３８ａ及び３８ｂが形成されている。
【００３６】
第１カバー体３３には、前記支持部材３２の円弧状側面３７に略外接する外接面３９ａ、前記支持部材３２の円弧状側面３８に略外接する外接面３９ｂ、及び、前記水平軸Ｏを中心とする、外接面３９ｂよりも外側の円弧状側面３９ｃが形成されている。したがって、第１カバー体３３は、支持部材３２により前記水平軸Ｏまわりに回動可能に安定かつ確実に支持されるため、長期にわたり当該回動動作の高い信頼性が確保される。なお、第１カバー体３３は支持部材３２の係合部３６に対して左右方向にスライドさせながら組み付けられるものであり、使用時において、第１カバー体３３が支持部材３２から脱落することはない。
【００３７】
第２カバー体３４は、係合凸部３４ｂ及びカバー部３４ｃからなり、係合凸部３４ｂを第１カバー体３３の係合凹部３３ｂに係合させることにより、第１カバー体３３と一体化する。そして、第２カバー体３４のカバー部３４ｃを合成ゴム又はエラストマー等とすることにより、第２カバー体３４が変形しやすいため、天板１側から後述する配線ダクトへの配線をした状態において、カバー体（第１カバー体３３及び第２カバー体３４）を閉じても、カバー体の上面（第１カバー体３３の上面３３ａ及び第２カバー体３４の上面３４ａ）の水平状態が保たれやすくなっている。また、第２カバー体３４により天板１とカバー体との隙間をなくすことができるため配線ダクト内へのペン等の落下を抑制することができる。さらに、第２カバー体３４を外してカバー体を第１カバー体３３のみとすれば、天板１側から配線ダクトへの配線がしやすくなると共に配線量を増大することができる。
【００３８】
第１カバー体３３に装着される合成樹脂製のサイドキャップ３５には、第１カバー体３３の円弧状側面３９ｃに略外接する外接面４０及び、支持部材３２の支持部３６の円弧状側面３８に形成された凹部３８ａ及び３８ｂに弾性的に係合する凸部４１が形成されている。したがって、図１４及び図１５（ｂ）に示すように、カバー体（第１カバー体３３及び第２カバー体３４）を開いて、該カバー体が上方に略垂直となった状態において、サイドキャップ３５の凸部４１が支持部材３２の支持部３６の凹部３８ａに弾性的に係合して、該カバー体の位置が保持される。この場合、前記フロントパネル４として厚さの厚いクロス張りのものを用いても、該フロントパネル４が装着される位置は、前記支持部材３２の幅内であるので、該フロントパネル４に何ら影響されずに両側のカバー体（第１カバー体３３及び第２カバー体３４）を開閉することができる。
【００３９】
このように、サイドキャップ３５に設けた凸部４１及び支持部材３２に設けた凹部３８ａが、カバー体を開いて該カバー体が上方に略垂直となった状態において、該カバー体の位置を保持する保持手段として機能する。このような構成によれば、前記保持手段を簡易かつ低コストにて構成することができる。なお、サイドキャップ３５を設けずに、サイドキャップ３５に形成した凸部４１と同様の機能を有する、凹部３８ａ及び３８ｂに弾性的に係合する部分を第１カバー体３３と一体に形成してもよい。
【００４０】
前記保持手段の保持力は凸部４１及び凹部３８ａの大きさ及び形状並びにサイドキャップ３５の材質等によるものであるが、例えば、図４における凸部４１の左右方向の長さＢを調整することにより、該保持力を容易に調整することができる。このように保持力を調整された、カバー体の位置を保持する保持手段を設けることにより、カバー体の開閉（図１５の矢印Ｃ参照。）を容易に行うことができると共に、カバー体を開いた状態で安定かつ確実にカバー体の位置が保持されるため、後述する配線ダクトを利用する配線の収納及びコンセントの配設等の作業を容易に行うことができる。
【００４１】
また、図１５（ａ）に示すように、カバー体を閉じて、該カバー体の上面が略水平となった状態において、サイドキャップ３５の凸部４１が支持部材３２の支持部３６の凹部３８ｂに弾性的に係合して、該カバー体の位置が保持される。したがって、前記のようにカバー体を閉じた状態で第２カバー体３４を変形させて配線を行った状態においても、カバー体の上面（第１カバー体３３の上面３３ａ及び第２カバー体３４の上面３４ａ）の水平状態を安定かつ確実に保持することができる。すなわち、第１カバー体３３の上面３３ａ及び第２カバー体３４の上面３４ａが略天板１の上面１ａと略面一に保持される。
【００４２】
なお、配線カバー２５は、天板１に対して、左右方向の適宜箇所にて、カバー体を任意の数に分割することができ、このように分割したカバー体毎に開閉することができる。例えば、図１３には、天板１に対して、配線カバーを２分割した例を示している。このような配線カバーのカバー体の分割構造により、さらに配線作業の作業性を向上することができる。
【００４３】
次に、図１４により、受け具２４の天板１，１への取付構造を説明する。受け具２４を取付ける天板１，１の下面には、受けキャップ４２がボルト４３により固定されている。また、受け具２４の支持穴２７ｂ，２７ｂは、該穴の径が左右方向に変化する略瓢箪状に形成されている。したがって、支持穴２７ｂ，２７ｂの径が大きい部分に前記受けキャップ４２，４２を通した状態から受け具２４をキャップ４２，４２に対して移動させると、支持穴２７ｂ，２７ｂの径が小さい部分に受けキャップ４２，４２が位置し、この状態で受け具２４は天板１，１により支持された状態となる。この状態で、固定穴２７ｃ，２７ｃからボルト又は木ねじを通して、天板１，１に受け具２４を容易に固定することができる。
【００４４】
図１６は、他の形態の机における配線装置を示す断面図である。なお、図１６において、前述の構成と同一符号は同一又は相当部分を示しているため詳細説明は省略する。このような構成においても、前述の両面タイプの机と同様の作用効果を奏するものである。
【００４５】
机の天板１後端と机の背後に設けた幕板４４間には配線ダクト用開口部２３が形成されており、この開口部２３には、左右に間隔を隔てた一対の受け具２４，２４及び配線カバー２５が配設されている。図のように、受け具２４は実施の形態と異なる形状であるが、同様の構成及び機能を有するものである。すなわち、受け具２４は、机の天板１の反使用側である後端部に取付けられるものであり、天板１の上面１ａと略面一の上面２６ａが形成された第１受け部２６と、天板１の上面１ａよりも下がった、第１受け部２６から天板１の後端縁１ｃに沿う方向にずらした位置に、天板１の上面１ａと略平行な上面２７ａが形成された第２受け部２７とが設けられている。そして、天板１の左右端の受け具２４は、第１受け部２６の第２受け部２７側と反対側の側面２６ｂが、天板１の側面１ｂと略面一となるように配置される。また、第１受け部２６にはフロントパネル４の下部に設けられた軸部３０と係合する係合穴２９が設けられており、第２受け部２７には配線カバー２５の支持部材３２と係合する係合部２８が設けられている。
【００４６】
配線カバー２５は、机の天板１の後部下側に配設される配線ダクト８の上側を覆うものであり、天板１の反使用側である後端縁１ｃに沿って、天板１の左右方向の略全長にわたって設けられる。また、受け具２４の第２受け部２７の係合部２８に係合する支持部材３２、該支持部材３２に係合する第１カバー体３３、該第１カバー体３３に連結される第２カバー体３４、第１カバー体３３の天板１の後端縁１ｃ方向の両側端（第１カバー体３３の左右端）に装着されるサイドキャップ３５，３５の構成は実施の形態１と同様である。なお、配線ダクト８は天板１の下面にボルト４６又は木ねじ等により固定される。
【００４７】
支持部材３２の形状も、前述の実施形態と同様であり、該支持部材３２の天板１側の支持部３６には第１カバー体３３が係合するが、このような片面配置のレイアウトでは、天板１と反対側の支持部３６には第１カバー体３６を係合させる必要がない。したがって、天板１と反対側の支持部３６は、机の後部の幕板４４の取り付けに利用することができる。例えば、図１６に示すように、天板１の後側に設ける幕板４４を、その上面４４ａが天板１の上面１ａと略面一となるように、掛止部４４ｂを天板１と反対側の支持部３６に係合させて隠すように引っ掛けると共に、該幕板４４の上下の中間部分を受けキャップ４７により机の脚部２に引っ掛ければ、該幕板４４の着脱が容易となると共に、机の上面の外観の統一性が高まり意匠性が向上する。このように、支持部材３２は、前述の机の対向配置及び本実施形態のような机の片面配置において共用することができるものである。この場合も、前記支持部材３２の幅内にフロントパネル４が装着されるので、該フロントパネル４に影響されずに前記カバー体（第１カバー体３３及び第２カバー体３４）を開閉することができる。
【図面の簡単な説明】
【００４８】
【図１】本発明に係る机上パネル装置を適用した机の全体斜視図である。
【図２】左右端部におけるフロントパネルとサイドパネルの支持構造を示す分解斜視図である。
【図３】同じく要部の拡大斜視図である。
【図４】左右中間部におけるフロントパネルとサイドパネルの支持構造を示す分解斜視図である。
【図５】同じく要部の拡大横断面図である。
【図６】フロントパネルの立起状態と配線ダクトを示す部分縦断面図である。
【図７】配線ダクトの配線カバーの構造を示す分解斜視図である。
【図８】サイドパネルの前端部を支持具にて支持する構造を示す部分横断面図である。
【図９】同じく部分縦断側面図である。
【図１０】同じく部分縦断正面図である。
【図１１】他の実施形態の支柱を用いて中間部にサイドパネルの後端縁を支持した状態の拡大横断面図である。
【図１２】更に他の実施形態の支柱を用いて中間部にサイドパネルの後端縁を支持した状態の拡大横断面図である。
【図１３】フロントパネルを部分的設けた机の全体斜視図である。
【図１４】受け具及び配線カバーの構成を示す側断面図である。
【図１５】配線カバーの開閉動作を示す側断面図であり、（ａ）はカバー体を閉じた状態を、（ｂ）はカバー体を開いた状態を示している。
【図１６】他の実施形態における机の配線カバーの開閉動作を示す側断面図である。
【符号の説明】
【００４９】
１  天板              ２  脚部
３  支柱              ４  フロントパネル
５  サイドパネル      ６キャップ
７  支持具            ８  配線ダクト
９  第１係合溝        １０  突出部
１１  第２係合溝      １２  連結溝
１３  連結部材        １４  係合部
１５  端面            １６  傾斜片
１７  凹部            １８  凹部
１９  切欠部          ２０  通孔
２１  係合爪          ２２  縦溝
２３  開口部          ２４  受け具
２５  配線カバー      ２６  第１受け部
２７  第２受け部      ２８  係合部
２９  係合穴          ３０  軸部
３１  弾性パッキン    ３２  支持部材
３３  第１カバー体    ３４  第２カバー体
３５  補強枠          ３６  凹溝
３７  クランプ部      ３８  支持板
３９  カバー          ４０  取付孔
４１  ボルト          ４２  ナット
４３  係止片
【図１】
2006020981.tif 000003
【図２】
2006020981.tif 000004
【図３】
2006020981.tif 000005
【図４】
2006020981.tif 000006
【図５】
2006020981.tif 000007
【図６】
2006020981.tif 000008
【図７】
2006020981.tif 000009
【図８】
2006020981.tif 000010
【図９】
2006020981.tif 000011
【図１０】
2006020981.tif 000012
【図１１】
2006020981.tif 000013
【図１２】
2006020981.tif 000014
【図１３】
2006020981.tif 000015
【図１４】
2006020981.tif 000016
【図１５】
2006020981.tif 000017
【図１６】
2006020981.tif 000018